(57)【要約】コントロールセンタは、盤の前面に開口部を有し奥行き方向に長尺の複数の制御ユニットを多段多列整列して又前方に引出可能に収納するユニット室を有し、ユニット室の後部に制御ユニットの主回路を外部主回路に接続するための主回路接続部を有するコントロールセンタにおいて、制御ユニットは、主回路を外部主回路に接続するための主回路コネクタと、制御回路を外部回路に接続するための制御回路コネクタとを備え、制御ユニット後面に設けられた制御回路コネクタを制御ユニットに対して前後方向に移動可能とし、主回路コネクタ及び制御回路コネクタが、外部主回路及び外部回路に接続する接続位置から、所定の距離前方に移動した試験位置において、制御回路コネクタが外部回路に接続したまま主回路コネクタが外部主回路から外れる。
2003038960.tif 000002
【特許請求の範囲】
【請求項１】
盤の前面に開口部を有し奥行き方向に長尺の複数の制御ユニットを多段多列整列して又前方に引出可能に収納するユニット室を有し、該ユニット室の後部に前記制御ユニットの主回路を外部主回路に接続するための主回路接続部を有するコントロールセンタにおいて、
前記制御ユニットは、
主回路を外部主回路に接続するための主回路コネクタと、
制御回路を外部回路に接続するための制御回路コネクタと
を備え、
前記制御ユニット後面に設けられた前記制御回路コネクタを該制御ユニットに対して前後方向に移動可能とし、
前記主回路コネクタ及び前記制御回路コネクタが、前記外部主回路及び前記外部回路に接続する接続位置から、所定の距離前方に移動した試験位置において、前記制御回路コネクタが前記外部回路に接続したまま前記主回路コネクタが前記外部主回路から外れる
ことを特徴とするコントロールセンタ。
【請求項２】
前記制御回路コネクタは、制御ユニットベース上を前後方向に移動可能に保持され、
前記制御ユニットが前記接続位置にある時該接続位置を維持するためのロック装置と、
前記接続位置から前記制御ユニットを前記試験位置に移行するためのロック解除装置と、
前記試験位置において前記制御回路コネクタを引外し方向に駆動するための引外し駆動装置と
を有することを特徴とする請求項１に記載のコントロールセンタ。
【請求項３】
前記引外し駆動装置により前記制御回路コネクタを引外し方向に駆動するための駆動源として引張りばねが使用されている
ことを特徴とする請求項２に記載のコントロールセンタ。
【発明の詳細な説明】
技術分野
本発明は、電力用プラント等に使用されるモータの起動制御・保護などを行うコントロールセンタに関するものであり、特に複数の制御ユニットを収納するコントロールセンタに関するものである。
技術背景
電力用プラント等に使用されるモータの起動制御・保護などを行うコントロールセンタユニットでは、制御ユニットは前方に引出し可能に構成され、制御ユニットの引出し時に主回路および制御回路が断路状態となる引出し位置をとることができる。そしてさらに、制御ユニットを前方に所定の距離引出した試験位置をとることができる。しかしながら、従来の技術によれば、前記試験位置では、制御回路の開閉状態を変更することができず、試験時における作業の効率化を阻害していた。
この発明は、制御ユニットの制御回路のみが閉路状態となる試験位置をとることができ、試験時における作業効率を適切に向上できるコントロールセンタを得ようとするものである。
発明の開示
この発明のコントロールセンタは、盤の前面に開口部を有し奥行き方向に長尺の複数の制御ユニットを多段多列整列して又前方に引出可能に収納するユニット室を有し、ユニット室の後部に制御ユニットの主回路を外部主回路に接続するための主回路接続部を有するコントロールセンタにおいて、制御ユニットは、主回路を外部主回路に接続するための主回路コネクタと、制御回路を外部回路に接続するための制御回路コネクタとを備え、制御ユニット後面に設けられた制御回路コネクタを制御ユニットに対して前後方向に移動可能とし、主回路コネクタ及び制御回路コネクタが、外部主回路及び外部回路に接続する接続位置から、所定の距離前方に移動した試験位置において、制御回路コネクタが外部回路に接続したまま主回路コネクタが外部主回路から外れる。
また、制御回路コネクタは、制御ユニットベース上を前後方向に移動可能に保持され、制御ユニットが接続位置にある時接続位置を維持するためのロック装置と、接続位置から制御ユニットを試験位置に移行するためのロック解除装置と、試験位置において制御回路コネクタを引外し方向に駆動するための引外し駆動装置とを有する。
さらに、引外し駆動装置により制御回路コネクタを引外し方向に駆動するための駆動源として引張りばねが使用されている。
発明を実施するための最良の形態
実施例１．
図１はこの発明のコントロールセンタの斜視図である。概略矩形箱状のコントロールセンタ１００の内部には、複数の制御ユニット１が縦横碁盤目状に規則正しく配列されて収納されている。本実施例のコントロールセンタ１００においては、水平方向に４列、縦方向に１０段、全体で４０個の制御ユニット１が収納されている。
図２はコントロールセンタ１００に収納される制御ユニットの斜視図である。制御ユニット１はコントロールセンタ１００の奥行き方向に長尺の概略直方体の形状を成している。制御ユニット１は、直方体の片側の側面及び底面を形成するユニットベース２を有している。制御ユニット１は、外部の設備機器を制御するために内部に種々の機器を搭載している。そして、裏面に内部機器に接続された主回路コネクタ３及び制御回路コネクタ４が設けられている。制御ユニット１の前面には、内部機器としての遮断装置のオン／オフを切り換える操作ハンドルが設けられている。そして、操作ハンドルの下方には、後で詳細に述べる操作レバー７が延出されている。
図３はコントロールセンタ１００から制御ユニット１が試験位置まで引き出された状態を示す側断面図である。制御回路コネクタ４は、制御回路コネクタ取付金具５に固定されている。制御回路コネクタ取付金具５は、制御ユニット１の後部において、ユニットベース２に対して、奥行き方向すなわち制御ユニット１の引出・挿入方向に、進退動可能に設けられている。すなわち、制御回路コネクタ取付金具５は、ユニットベース２に前後方向に移動可能に設けられている。
制御回路コネクタ取付金具５とユニットベース２との間に引張りばね６が伸設されている。引張りばね６は、制御回路コネクタ取付金具５を制御ユニット１の前部方向に付勢している。制御回路コネクタ４は、図３に示された試験位置では、盤側制御回路コネクタ１４に接続されている。盤側制御回路コネクタ１４は、図示しないケーブルでモータ制御回路等の外部回路に接続されている。
ユニットベース２の下に細長平板状の内部レバー８が設けられている。内部レバー８は、ユニットベース２に前後方向に移動可能に設けられている。内部レバー８は、前端部を操作レバー７に連結されている。
第１のラッチ９，第２のラッチ１０，及び第３のラッチ１１は、ユニットベース２に上下動可能に立設されている。
このような構成の制御ユニット１は、コントロールセンタ１００の棚板（仕切り板）１２上に載置されている。
図４はコントロールセンタ１００から制御ユニット１が取り外された状態を示す側断面図である。図５はコントロールセンタ１００から全ての制御ユニット１が取り外された状態を示す斜視図である。コントロールセンタ１００には、棚板（仕切り板）１２で仕切られて、上下方向に複数のユニット室が形成されている。一枚の棚板１２上に形成されたユニット室１２は、さらに図示しない４枚の仕切板にて仕切られて４個の部屋を形成する。このようにして形成された奥行き方向に長尺の概略直方体の各部屋に制御ユニット１が挿入される。
図６はコントロールセンタ１００の棚板１２の斜視図である。図７は棚板１２の上面図である。本実施例において１枚の棚板１２の上には、４個の制御ユニット１が並べて載置される。そのため、棚板１２には制御ユニット１のラッチが係合する３組の角穴が穿孔されている。第１のラッチ９或いは第２のラッチ１０と係合する第１の角穴１２ａと、第３のラッチ１１と係合する第２の角穴１２ｂが穿孔されている。
図８は内部レバー８の斜視図である。図９は内部レバー８の上面図である。内部レバー８は、概略細長平板状を成し、制御ユニット１のラッチが係合するスリットが穿孔されている。前方に第１のラッチ９或いは第２のラッチ１０と係合する第１のスリット８ａと、後方に第３のラッチ１１と係合する第２のスリット８ｂが穿孔されている。内部レバー８は、前端部に形成された丸穴８ｃにて、操作レバー７と連結されている。
図１０は第１のラッチ９の斜視図である。図１１は第１のラッチ９を３方向から見た様子を示す図である。第１のラッチ９は、平板を折り曲げて作成された概略断面コ字型の本体部とこの本体部を貫通する軸部とからなり、本体部の両側には、棚板１２の第１の角穴１２ａに降りる爪部９ａと第１のスリット８ａに係合する係合部９ｂが形成されている。そして、第１のラッチ９は、軸部下端部をユニットベース２に固定され、本体部がユニットベース２に対して上下動するように支持されている。そして、爪部９ａは本体部の上下動に応じてユニットベース２の裏面から出没可能とされている。さらに、第１のラッチ９の軸部上部に設けられた六角形の頭部と本体部との間には、図示しない押しバネが縮設されており、この押しバネは爪部９ａを突出するように付勢している。
図１２は第２のラッチ１０の斜視図である。図１３は第２のラッチ１０を３方向から見た様子を示す図である。第２のラッチ１０は、第１のラッチ９と概略同様の構造をなし、本体部の両側には、棚板１２の第１の角穴１２ａに降りる爪部１０ａと第１のスリット８ａに係合する係合部１０ｂが形成されている。第１のラッチ９の爪部９ａが片側の角部が円弧状にされているのに対して、第２のラッチ１０の爪部１０ａは両側の角部が円弧状にされている。第２のラッチ１０は、軸部下端部をユニットベース２に固定され、本体部がユニットベース２に対して上下動するように支持されている。そして、爪部１０ａは本体部の上下動に応じてユニットベース２の裏面から出没可能とされている。さらに、第１０のラッチ１０の軸部上部に設けられた六角形の頭部と本体部との間には、図示しない押しバネが縮設されており、この押しバネは爪部１０ａをユニットベース２の裏面からユニットベース２の裏面から突出するように付勢している。
図１４は第３のラッチ１１の斜視図である。図１５は第３のラッチ１１を３方向から見た様子を示す図である。第３のラッチ１１は、平板を折り曲げて作成された概略断面コ字型の本体部とこの本体部を貫通する軸部とからなり、本体部の両側には、棚板１２の第２の角穴１２ｂに降りる２つの爪部１１ａが形成されている。そして、第３のラッチ１１は、軸部下端部をユニットベース２に固定され、本体部がユニットベース２に対して上下動するように支持されている。そして、２つの爪部１１ａは本体部の上下動に応じてユニットベース２の裏面から出没可能とされている。さらに、第３のラッチ１１の軸部上部に設けられた六角形の頭部と本体部との間には、図示しない押しバネが縮設されており、この押しバネは爪部１１ａをユニットベース２の裏面から突出するように付勢している。
図１６は制御ユニット１の各状態を示す上面図であり、紙面に向かって左から接続位置、ロック解除位置、試験位置、引出・挿入位置を示している。
図１７は制御ユニット１の接続位置状態を示す図１６のＸＶＩＩ−ＸＶＩＩ線に沿う要部断面図である。図１８は制御ユニット１の接続位置での内部レバー８及び各ラッチ９，１０，１１の様子を示す図である。棚板１２上を前後方向に移動するユニット１が接続位置にある時、操作レバー７を図１６の紙面に向かって時計回りに回動させることによって、棚板１２の第１の角穴１２ａに第１のラッチ９が降り、また、第２の角穴１２ｂに第３のラッチ１１が降りてロック状態となり前後方向への移動が抑制される。第１のラッチ９は、係合部９ｂを内部レバー８の第１のスリット８ａに係合されて所定の位置まで下がり、爪部９ａを棚板１２の第１の角穴１２ａに降ろす。第３のラッチ１１の爪部１１ａは、内部レバー８の第２のスリット８ｂを貫通して棚板１２の第２の角穴１２ｂに降りる。
図１９は制御ユニット１のロック解除位置状態を示す図１６のＸＶＩＩＩＩ−ＸＶＩＩＩＩ線に沿う要部断面図である。図２０は制御ユニットのロック解除位置での内部レバー８及び各ラッチ９，１０，１１の様子を示す図である。上述の接続位置から操作レバー７を図１６の紙面に向かって反時計回りに回動させることにより、内部レバー８が後方に移動し、第１のラッチ９が押し上げられユニット１のロックが解除される。第１のラッチ９は、係合部９ｂを内部レバー８の第１のスリット８ａに押し出されて係合部９ｂを内部レバー８の主面に押し上げられて、爪部９ａを角穴１２ａから引き上げる。第３のラッチ１１の爪部１１ａは、引き続き棚板１２の第２の角穴１２ｂに降りている。
図２１は制御ユニット１の試験位置状態を示す図１６のＸＸＩ−ＸＸＩ線に沿う要部断面図である。図２２は制御ユニット１の試験位置での内部レバー８及び各ラッチ９，１０，１１の様子を示す図である。図２１，２２は、図１９，２０のロック解除状態からユニット１を前方に移動させた状態であり、棚板１２の第１の角穴１２ａに第２のラッチ１０が降りるまで前方に移動した試験位置である。この試験位置においては、主回路コネクタ３は、盤側主回路コネクタ１３と分離状態（図３）となるが、制御回路コネクタ取付金具５はラッチ１１によって引き続き棚板１２に固定されており制御回路コネクタ４は盤側制御回路コネクタ１４と接続状態を保つ。この時、ユニットベース２と制御回路コネクタ取付金具５に取付けられた引張りばね６は、制御ユニット１の移動分だけ伸びた状態となる。
図２３は制御ユニット１の引出・挿入位置状態を示す図１６のＸＸＩＩＩ−ＸＸＩＩＩ線に沿う要部断面図である。図２４は制御ユニット１の引出・挿入位置での内部レバー８及び各ラッチ９，１０，１１の様子を示す図である。操作レバー７を図１６の紙面に向かって時計回りに回動させることにより、内部レバー８が前方に移動し、ラッチ１１が押し上げられ制御回路コネクタ取付金具５の棚板１２へのロックが解除され、引張りばね６の力により制御回路コネクタ取付金具５がユニットベース２側に戻り、制御回路コネクタ４と盤側制御回路コネクタ１４とが分離状態となる。また、内部レバー８が前方に移動することによってラッチ１０が押し上げられ、ユニット１は引出可能状態となる。
以上のように、この発明によれる実施例では、操作レバー７を左右方向に倒すことにより接続、ロック解除、試験、引出の４つの状態を作ることができ、尚且つ主回路断路状態においても制御回路のみの操作が可能な試験位置状態を得ることにより、外部からの電源供給を必要とせず、試験時において作業効率向上の効果が得られる。
この発明による実施例によれば、盤の前面に開口部を有しユニット１を引出可能に装着する複数のユニット室の後部に主回路コネクタ３を介してユニット１の主回路を母線回路からなる外部主回路に接続するための主回路接続部を有するコントロールセンタにおいて、ユニット１の制御回路をモータ制御回路等の外部回路に接続するための制御回路コネクタ４を備え、ユニット１後面の制御回路コネクタ４をユニット１に対して前後方向に移動できるようにし、ユニット１の試験位置においてモータ制御回路等の前記外部回路に接続可能としたものであって、前記制御回路コネクタ４は、ユニットベース２上を前後方向に移動可能に保持され、ユニット１が接続位置にある時接続位置を維持するためのラッチ９，１１からなるロック装置と、接続位置からユニットを試験位置に移行するための操作レバー７および内部レバー８からなるロック解除装置と、試験位置において前記制御回路コネクタ４を引外し方向に駆動するための駆動源として引張りばね６を使用した引外し駆動装置とを有するので、引張りばね６からなる駆動源により前記制御回路コネクタ４の引き外し動作をより的確に実行でき試験時における作業効率を一層適切に向上できるコントロールセンタを得ることができる。
すなわち、この発明によれば、盤の前面に開口部を有しユニットを引出可能に装着する複数のユニット室の後部にユニットの主回路を外部主回路に接続するための主回路接続部を有するコントロールセンタにおいて、ユニットの制御回路を外部回路に接続するための制御回路コネクタを備え、ユニット後面の制御回路コネクタをユニットに対して前後方向に移動できるようにし、ユニットの試験位置において前記外部回路に接続可能としたので、試験時における作業効率を適切に向上できるコントロールセンタを得ることができる。
また、前記制御回路コネクタは、ユニットベース上を前後方向に移動可能に保持され、ユニットが接続位置にある時接続位置を維持するためのロック装置と、接続位置からユニットを試験位置に移行するためのロック解除装置と、試験位置において前記制御回路コネクタを引外し方向に駆動するための引外し駆動装置とを有するので、制御回路コネクタの引外し動作を的確に実行でき試験時における作業効率を適切に向上できるコントロールセンタを得ることができる。
また、前記引外し駆動装置により前記制御回路コネクタを引外し方向に駆動するための駆動源として引張りばねを使用したので、制御回路コネクタの引き外し動作を引張りばねからなる駆動源によってより的確に実行でき試験時における作業効率を一層適切に向上できるコントロールセンタを得ることができる。
産業上の利用の可能性
この発明のコントロールセンタは、盤の前面に開口部を有し奥行き方向に長尺の複数の制御ユニットを多段多列整列して又前方に引出可能に収納するユニット室を有し、ユニット室の後部に制御ユニットの主回路を外部主回路に接続するための主回路接続部を有するコントロールセンタにおいて、制御ユニットは、主回路を外部主回路に接続するための主回路コネクタと、制御回路を外部回路に接続するための制御回路コネクタとを備え、制御ユニット後面に設けられた制御回路コネクタを制御ユニットに対して前後方向に移動可能とし、主回路コネクタ及び制御回路コネクタが、外部主回路及び外部回路に接続する接続位置から、所定の距離前方に移動した試験位置において、制御回路コネクタが外部回路に接続したまま主回路コネクタが外部主回路から外れる。そのため、試験位置において、試験時における作業効率を向させることができる。
また、制御回路コネクタは、制御ユニットベース上を前後方向に移動可能に保持され、制御ユニットが接続位置にある時接続位置を維持するためのロック装置と、接続位置から制御ユニットを試験位置に移行するためのロック解除装置と、試験位置において制御回路コネクタを引外し方向に駆動するための引外し駆動装置とを有する。そのため、制御回路コネクタの引外し動作を的確に実行でき、試験時における作業効率をさらに向させることができる。
さらに、引外し駆動装置により制御回路コネクタを引外し方向に駆動するための駆動源として引張りばねが使用されている。そのため、制御回路コネクタの引き外し動作を引張りばねからなる駆動源によってより確実に実行することができ、装置の信頼性が向上する。
【図面の簡単な説明】
図１はこの発明のコントロールセンタの斜視図である。
図２はコントロールセンタ１００に収納される制御ユニットの斜視図である。
図３はコントロールセンタから制御ユニットが試験位置まで引き出された状態を示す側断面図である。
図４はコントロールセンタから制御ユニットが取り外された状態を示す側断面図である。
図５はコントロールセンタから全ての制御ユニットが取り外された状態を示す斜視図である。
図６はコントロールセンタの棚板の斜視図である。
図７は棚板の上面図である。
図８は内部レバーの斜視図である。
図９は内部レバーの上面図である。
図１０は第１のラッチの斜視図である。
図１１は第１のラッチを３方向から見た様子を示す図である。
図１２は第２のラッチの斜視図である。
図１３は第２のラッチを３方向から見た様子を示す図である。
図１４は第３のラッチの斜視図である。
図１５は第３のラッチを３方向から見た様子を示す図である。
図１６は制御ユニットの各状態を示す上面図である。
図１７は制御ユニットの接続位置状態を示す図１６のＸＶＩＩ−ＸＶＩＩ線に沿う要部断面図である。
図１８は制御ユニットの接続位置での内部レバー及び各ラッチの様子を示す図である。
図１９は制御ユニットのロック解除位置状態を示す図１６のＸＶＩＩＩＩ−ＸＶＩＩＩＩ線に沿う要部断面図である。
図２０は制御ユニットのロック解除位置での内部レバー及び各ラッチの様子を示す図である。
図２１は制御ユニットの試験位置状態を示す図１６のＸＸＩ−ＸＸＩ線に沿う要部断面図である。
図２２は制御ユニットの試験位置での内部レバー及び各ラッチの様子を示す図である。
図２３は制御ユニットの引出・挿入位置状態を示す図１６のＸＸＩＩＩ−ＸＸＩＩＩ線に沿う要部断面図である。
図２４は制御ユニットの引出・挿入位置での内部レバー及び各ラッチの様子を示す図である。
【図１】
2003038960.tif 000003
【図２】
2003038960.tif 000004
【図３】
2003038960.tif 000005
【図４】
2003038960.tif 000006
【図５】
2003038960.tif 000007
【図６】
2003038960.tif 000008
【図７】
2003038960.tif 000009
【図８】
2003038960.tif 000010
【図９】
2003038960.tif 000011
【図１０】
2003038960.tif 000012
【図１１】
2003038960.tif 000013
【図１２】
2003038960.tif 000014
【図１３】
2003038960.tif 000015
【図１４】
2003038960.tif 000016
【図１５】
2003038960.tif 000017
【図１６】
2003038960.tif 000018
【図１７】
2003038960.tif 000019
【図１８】
2003038960.tif 000020
【図２０】
2003038960.tif 000021
【図１９】
2003038960.tif 000022
【図２１】
2003038960.tif 000023
【図２２】
2003038960.tif 000024
【図２４】
2003038960.tif 000025
【図２３】
2003038960.tif 000026
【国際調査報告】
2003038960.tif 000027
2003038960.tif 000028
2003038960.tif 000029
2003038960.tif 000030